(57)【要約】【課題】簡単な構成で、既存の照明器具に後付けで容易に取付けることが可能で、かつ、カバーを取り付ける際の器具本体の共回りを防ぐとともに天井クロスの変色を抑えることができる照明器具を提供する。【解決手段】天井１２に取り付けられる器具本体１４の天井１２に対向する面１５のうち、器具本体１４の外周寄りの取付け箇所に弾性手段２０を設けるとともに、弾性手段２０の天井側面２１に高摩擦シート３０を設けるという簡単な構成とした。このため、既存の照明器具に、後付けで高摩擦シート３０を容易に取り付けることができる。また、カバー１８を着脱する際の器具本体１４の共回りを防止することができる。そして、弾性手段２０に取り付ける高摩擦シート３０を、弾性手段２０の天井側面２１よりも大きくしたので、弾性手段２０が天井１２を汚したり天井１２にくっつくのを防止することができ、天井１２から容易に取り外すことができる。【選択図】図１
2010198883.tif 000002
【特許請求の範囲】
【請求項１】
天井に取付けられるとともに前記天井の反対側に光源が設けられた器具本体と、
前記光源を覆うために前記天井に対して平行に回転することで前記器具本体に取付けられたカバーと、を有する天井取付型の照明器具において、
前記器具本体の前記天井に対向する面のうち、前記器具本体の外周寄りの取付箇所に設けられた弾性変形可能な弾性手段と、
前記弾性手段の前記天井側面に設けられ当該天井側面より大きな高摩擦シートと、を備えたことを特徴とする照明器具。
【請求項２】
前記高摩擦シートは、前記天井側面の全面にわたって起毛が形成されていることを特徴とする請求項１記載の照明器具。
【請求項３】
前記高摩擦シートは、前記弾性手段からのアミン触媒等の揮発ガスを防ぐ紙材または気密性を有する材料で形成されていることを特徴とする請求項１または２記載の照明器具。
【発明の詳細な説明】
【技術分野】
【０００１】
本発明は、器具本体が天井に取付けられ、器具本体の光源を覆うために天井に対して平行に回転することで器具本体にカバーが取付けられた照明器具に関するものである。
【背景技術】
【０００２】
天井取付型の照明器具のなかには、天井に取付けられる器具本体が備えられ、この器具本体に光源が設けられるとともに光源を覆うカバーが設けられ、器具本体のうち天井に対向する面に弾性部材としてスポンジパッキンが設けられたものが知られている。
器具本体にカバーを取付ける際には、器具本体の取付位置にカバーを合わせ、カバーを天井に対して平行に回転させることでカバーを器具本体に係止する（例えば、特許文献１参照）。
【０００３】
特許文献１に記載の照明器具によれば、器具本体を取付けた状態で弾性部材が天井に接触されている。よって、器具本体にカバーを取付けるために、カバーを天井に対して平行に回転させた際に、カバーとともに器具本体が天井に対して共回りすることを防ぐことができる。
【先行技術文献】
【特許文献】
【０００４】
【特許文献１】特開平１０−２７５５１６号公報
【発明の概要】
【発明が解決しようとする課題】
【０００５】
しかしながら、特許文献１の照明器具では、天井に内装材として塩ビ製の天井クロスが用いられている場合に、照明器具等の発熱により弾性部材（スポンジパッキン）の発泡剤として用いられたアミン触媒が揮発して天井クロスに移行し、天井クロスを変色させてしまう虞がある。
【０００６】
天井クロスの変色を防ぐ対策として、弾性材料（スポンジパッキン）を用いない緩衝具を専用器具として用いることが考えられる。
しかし、弾性材料（スポンジパッキン）を用いない緩衝具を専用器具として用いる場合、構成が複雑になり、既存の照明器具に後付けで容易に取付けることはできないという問題がある。
【０００７】
本発明は、従来の問題を解決するためになされたもので、その目的は、簡単な構成で、既存の照明器具に後付けで容易に取付けることが可能で、かつ、カバーを取り付ける際の器具本体の共回りを防ぐとともに天井クロスの変色を抑えることができる照明器具を提供することにある。
【課題を解決するための手段】
【０００８】
本発明の照明器具は、天井に取付けられるとともに前記天井の反対側に光源が設けられた器具本体と、前記光源を覆うために前記天井に対して平行に回転することで前記器具本体に取付けられたカバーと、を有する天井取付型の照明器具において、前記器具本体の前記天井に対向する面のうち、前記器具本体の外周寄りの取付箇所に設けられた弾性変形可能な弾性手段と、前記弾性手段の前記天井側面に設けられ当該天井側面より大きな高摩擦シートと、を備えた構成を有している。
【０００９】
この構成により、天井に取り付けられる器具本体の天井に対向する面のうち、器具本体の外周寄りの取付け箇所に弾性手段を設けるとともに、弾性手段の天井側面に高摩擦シートを設けるという簡単な構成とした。このため、既存の照明器具に、後付けで高摩擦シートを容易に取り付けることができる。また、カバーを着脱する際の器具本体の共回りを防止することができる。
そして、弾性手段に取り付ける高摩擦シートを、弾性手段の天井側面よりも大きくしたので、弾性手段が天井を汚したり天井にくっつくのを防止することができ、天井から容易に取り外すことができる。
【００１０】
また、本発明の照明器具は、前記高摩擦シートは、前記天井側面の全面にわたって起毛が形成されている構成を有している。
【００１１】
この構成により、高摩擦シートの天井側面に、全面にわたって起毛が形成されているので、起毛が天井に当接して器具本体の回転を防止する。この起毛は、弾性手段を弾性変形させることにより、天井に比較的大きな押付力を作用させた状態で容易に当接させることができる。
これにより、弾性手段の上部に高摩擦シートを設けるだけの簡単な構造で、器具本体の天井からの取り外しを容易にし、さらに、カバーを取り付ける際の器具本体の共回りを防止することができる。
【００１２】
さらに、本発明の照明器具は、前記高摩擦シートは、前記弾性手段からのアミン触媒等の揮発ガスを防ぐ紙材または気密性を有する材料で形成された構成を有している。
【００１３】
この構成により、弾性手段の反応促進剤として用いられたアミン触媒が、天井クロスに移行して、天井クロスが変色するのを防止することができる。
また、高摩擦シートをスポンジパッキンの天井側面よりも大きくすることで、スポンジパッキンの側面からの揮発ガスを遮断することができる。
【発明の効果】
【００１４】
本発明は、器具本体の天井に対向する面に弾性手段を設け、弾性手段の上部に高摩擦シートを設ける構成とすることで、既存の照明器具に後付けで容易に取り付けることができる。また、照明器具の取り外しを容易にすると共に、カバーを取り付ける際の器具本体の共回りを防ぎ、さらに天井の変色を防止することができる。
【図面の簡単な説明】
【００１５】
【図１】本発明に係る照明器具の実施形態を示す側面図
【図２】本発明に係る照明器具の実施形態を示す平面図
【図３】本発明に係る実施形態の弾性体および高摩擦シートを器具本体に取り付けた状態を示す斜視図
【図４】（Ａ）は本発明に係る実施形態の弾性体および高摩擦シートの平面図、（Ｂ）は器具本体と天井の間に取り付けられた弾性体および高摩擦シートの側面図
【図５】本発明に係る実施形態の弾性体の変形前の状態を示す側面図
【図６】本発明に係る実施形態の弾性体が器具本体と天井の間において弾性変形した状態を示す側面図
【発明を実施するための形態】
【００１６】
以下、本発明の実施形態に係る照明器具について、図面を参照して説明する。
図１および図２に示すように、照明器具１０は、被取付部である例えば天井１２に取り付けられて、室内等を照明する天井取付型の照明器具として使用することができる。
【００１７】
照明器具１０は、天井１２に取り付けられる器具本体１４と、器具本体１４における天井１２の反対側に収容される例えば、環状蛍光灯のような光源１６と、光源１６を覆うカバー１８と、を有する。
カバー１８は、透明あるいは半透明の光透過性を有する例えば樹脂で形成され、器具本体１４の取付位置に位置決めした状態で、器具本体１４に対して平行に（すなわち、天井１２に沿って）回転することで、器具本体１４の取付位置に着脱可能となっている。
【００１８】
そして、器具本体１４の天井１２に対向する面１５のうち、器具本体１４の外周寄りの取付箇所に設けられた弾性変形可能な弾性手段としての弾性体２０と、弾性体２０の天井側面２１に設けられ天井側面２１より大きな高摩擦シート３０と、を有する。
【００１９】
弾性体２０は、その弾性力により器具本体１４を天井１２にガタつくことなく固定するための部材である。
また、高摩擦シート３０は弾性体２０と天井１２との間に設けられて、カバー１８を回転させて着脱する際に、その摩擦力により弾性体２０すなわち器具本体１４がカバー１８と共回りしないようにする部材である。
【００２０】
器具本体１４は例えば円形をしており、天井１２に対向する面１５で、かつ、外周２５寄りの取付箇所２６近傍に、環状リブ２８が外周２５と同心円状に設けられている。
光源１６は、器具本体１４のうち天井１２の反対側（すなわち、室２９内に対向する側）に設けられている。
【００２１】
弾性体２０は、器具本体１４の天井１２に対向する面１５のうち器具本体１４の外周２５寄りの取付箇所２６に所定間隔をおいて複数個設けられている。
図３、図４に示すように、弾性体２０は、環状リブ２８に沿うように僅かに湾曲状に形成された矩形体の部材であり、例えば環状リブ２８の外側面２８１に当接して設けることができる。
【００２２】
弾性体２０の高さは、無負荷状態において少なくとも環状リブ２８の高さよりも高く設定する。すなわち、環状リブ２８を天井１２に押し付けて器具本体１４を天井１２に取り付けた際に、弾性体２０が弾性変形して弾性力を発揮できるようにする。
弾性体２０は、一例として、発泡剤（アミン触媒）で発泡された弾性変形可能な発泡材（スポンジパッキン）とすることができる。
【００２３】
弾性体２０の天井側面２１（すなわち、上面）には、弾性体２０の天井側面２１より大きな高摩擦シート３０が設けられている。高摩擦シート３０は、弾性体２０と同様に、器具本体１４の環状リブ２８に沿って湾曲した平面状を呈している。
ここで、天井側面２１より大きいとは、天井側面２１に高摩擦シート３０を被せた状態で、天井側面２１の全周にわたって高摩擦シート３０が外側に突出する状態をいう（図４（Ｂ）参照）。
【００２４】
図３に示すように、高摩擦シート３０が環状リブ２８の天井側面２８２も覆うようにするのが望ましい。これにより、環状リブ２８が天井１２に押し付けられても、高摩擦シート３０が環状リブ２８の天井側面２８２と天井１２との間に介在することになる。
高摩擦シート３０としては、例えば弾性体２０からのアミン触媒等の揮発ガスを防ぐ紙材または気密性を有する材料で形成することができる。
【００２５】
高摩擦シート３０は、天井側面３１の全面にわたって起毛３２（図３参照）が形成されている。
【００２６】
図５は無負荷状態（すなわち、取付け前）における弾性体２０および高摩擦シート３０を示す断面図であり、図６は器具本体１４を天井１２に取り付けた状態における弾性体２０および高摩擦シート３０を示す断面図である。
【００２７】
器具本体１４を天井１２に取り付ける際には、環状リブ２８の上面は天井１２に押し付けられる。このとき、弾性体２０の高さは器具本体１４の環状リブ２８および外周２５よりも高いため、弾性体２０は上下方向に押しつぶされて弾性変形し、横方向へ膨張する。
【００２８】
このとき、高摩擦シート３０に設けられている起毛３２は、弾性体２０の弾性力により、比較的大きな押付力で天井１２に押し付けられる。
また、高摩擦シート３０は弾性体２０の天井側面２１よりも大きいため、弾性体２０が横方向へ膨張しても高摩擦シート３０から突出しない。
【００２９】
以上、説明した本発明の実施形態にかかる照明器具１０によれば、天井１２に取り付けられる器具本体１４の天井１２に対向する面のうち、器具本体１４の外周寄りの取付け箇所にスポンジパッキンのような弾性体２０を設けるとともに、弾性体２０の天井側面２１に高摩擦シート３０を設けるという簡単な構成とした。このため、既存の照明器具に、後付けで高摩擦シート３０を容易に取り付けることができる。また、カバー１８を着脱する際の器具本体１４の共回りを防止することができる。
そして、弾性体２０に取り付ける高摩擦シート３０を、弾性体２０の天井側面２１よりも大きくしたので、高摩擦シート３０が天井１２に押し付けられ、密着して経年劣化しても、天井１２から剥がれ易くすることができる。また、高摩擦シート３０が環状リブ２８の天井側面２８２も覆うので、環状リブ２８が天井１２に押し付けられても、天井１２にくっついたり汚すのを防止することができる。
【００３０】
また、高摩擦シート３０の天井側面３１の全面にわたって起毛３２が形成されているので、起毛３２が天井１２に当接して器具本体１４の回転を防止する。この起毛３２は、弾性体２０を弾性変形させることにより、天井１２に比較的大きな押付力を作用させた状態で容易に当接させることができる。
これにより、弾性体２０の上部に高摩擦シート３０を設けるだけの簡単な構造で、器具本体１４の天井１２からの取り外しを容易にし、さらに、カバー１８を取り付ける際の器具本体１４の共回りを防止することができる。
【００３１】
また、高摩擦シート３０は揮発ガスを遮断する紙材または気密性を有する材料で形成されているので、弾性体２０であるスポンジパッキンの反応促進剤として用いられているアミン触媒が発熱により発生する揮発ガスを遮断することができる。これにより、揮発ガスが天井１２に貼られている塩ビ製の天井クロスに移行して、天井１２を汚したり、天井１２にくっつくのを防止することができ、天井１２から容易に取り外すことができる。
さらに、高摩擦シート３０を、弾性体２０の天井側面２１よりも大きくしたので、弾性体２０の側面から発せられる揮発ガスが天井１２に付着するのを防止することができる。
【００３２】
なお、本発明の照明器具は、前述した実施形態に限定されるものでなく、適宜な変形，改良等が可能である。
【符号の説明】
【００３３】
１０  照明器具
１２  天井
１４  器具本体
１５  器具本体の天井に対向する面
１６  光源
１８  カバー
２０  弾性体（弾性手段）
２１  弾性手段の天井側面
３０  高摩擦シート
３１  高摩擦の天井側面
３２  起毛
【図１】
2010198883.tif 000003
【図２】
2010198883.tif 000004
【図３】
2010198883.tif 000005
【図４】
2010198883.tif 000006
【図５】
2010198883.tif 000007
【図６】
2010198883.tif 000008